【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
電子機器のコンピュータに通話方法を実行させるコンピュータプログラムであって、
前記通話方法は、
発呼者の入力に応答して被呼者を選択する段階、
前記選択された被呼者のアカウントと関連付いて管理されるリングバックトーンストリームのアドレス情報をアプリサーバに要請する段階、
前記アプリサーバから前記アドレス情報を受信する段階、
前記被呼者との通話設定をＶｏＩＰサーバに要請する段階、および
前記ＶｏＩＰサーバからの応答にしたがい、前記アドレス情報を利用して前記リングバックトーンストリームを受信して再生する段階
を含む、コンピュータプログラム。
【請求項２】
前記アプリサーバは、ユーザ間の人的関係に基づいてメッセージングサービスを提供し、前記アカウントを利用してユーザを識別するメッセンジャサーバを含み、
前記被呼者を選択する段階は、
前記メッセンジャサーバが提供するメッセージングサービスに基づき、前記発呼者と人的関係が設定された前記発呼者の友達のうちから、前記発呼者の入力に基づいて選択された友達を前記被呼者として選択する、請求項１に記載のコンピュータプログラム。
【請求項３】
前記リングバックトーンストリームは、前記被呼者の電子機器を通じてストリーミングサーバにアップロードされて前記被呼者のアカウントと関連付けて管理され、
前記アドレス情報は、前記アプリサーバが前記ストリーミングサーバを通じて取得して前記発呼者の電子機器に送信する、請求項１または２に記載のコンピュータプログラム。
【請求項４】
前記リングバックトーンストリームは、前記アカウントによって前記被呼者を識別し且つ音楽ストリーミングサービスを提供してする音楽サービスサーバが前記被呼者の電子機器に提供する音源編集機能によってまたは前記音楽ストリーミングサービスのためのミュージックアプリケーションが提供する音源編集機能によって生成されて前記被呼者の電子機器に提供され、前記被呼者の電子機器により前記ストリーミングサーバにアップロードされ、前記ストリーミングサーバで前記被呼者のアカウントと関連付けて管理される、請求項３に記載のコンピュータプログラム。
【請求項５】
前記リングバックトーンストリームを受信して再生する段階は、
前記アドレス情報に基づいてストリーミングサーバを通じて前記リングバックトーンストリームをストリーミング方式で受信し、受信したリングバックトーンストリームを、前記電子機器にインストールされたメディアプレーヤを利用して再生する、請求項１〜４のうちの何れか１項に記載のコンピュータプログラム。
【請求項６】
前記通話方法は、
前記被呼者の通話受諾または通話拒絶によって前記ＶｏＩＰサーバから送信される応答を受信する場合、前記リングバックトーンストリームの再生を中止する段階、および
前記電子機器を制御して前記発呼者と前記被呼者との間の通話を処理する段階
をさらに含む、請求項１〜５のうちの何れか１項に記載のコンピュータプログラム。
【請求項７】
前記通話設定の要請にしたがって前記ＶｏＩＰサーバから前記アプリサーバを通じて前記被呼者の電子機器に通話要請をプッシュし、
前記被呼者の電子機器から前記ＶｏＩＰサーバに通話設定が要請され、前記ＶｏＩＰサーバからの応答にしたがって前記被呼者の電子機器に予め格納されたリングトーンが再生される、請求項１〜６のうちの何れか１項に記載のコンピュータプログラム。
【請求項８】
前記被呼者の電子機器で駆動するメッセンジャアプリケーションが前記ＶｏＩＰサーバからの応答を受信することにより、前記被呼者の電子機器に予め格納された前記リングトーンが前記被呼者の電子機器で駆動するメディアプレーヤで再生されるように前記被呼者の電子機器を制御する、請求項７に記載のコンピュータプログラム。
【請求項９】
電子機器の通話方法であって、
発呼者の入力に応答して被呼者を選択する段階、
前記選択された被呼者のアカウントと関連付いて管理されるリングバックトーンストリームのアドレス情報をアプリサーバに要請する段階、
前記アプリサーバから前記アドレス情報を受信する段階、
前記被呼者との通話設定をＶｏＩＰサーバに要請する段階、および
前記ＶｏＩＰサーバからの応答にしたがい、前記アドレス情報を利用して前記リングバックトーンストリームを受信して再生する段階
を含む、通話方法。
【請求項１０】
前記アプリサーバは、ユーザ間の人的関係に基づいてメッセージングサービスを提供し、前記アカウントを利用してユーザを識別するメッセンジャサーバを含み、
前記被呼者を選択する段階は、
前記メッセンジャサーバが提供するメッセージングサービスに基づき、前記発呼者と人的関係が設定された前記発呼者の友達のうちから、前記発呼者の入力に基づいて選択された友達を前記被呼者として選択する、請求項９に記載の通話方法。
【請求項１１】
前記リングバックトーンストリームは、前記被呼者の電子機器を通じてストリーミングサーバにアップロードされて前記被呼者のアカウントと関連付けて管理され、
前記アドレス情報は、前記アプリサーバが前記ストリーミングサーバを通じて取得して前記発呼者の電子機器に送信する、請求項９または１０に記載の通話方法。
【請求項１２】
前記リングバックトーンストリームを受信して再生する段階は、
前記アドレス情報にしたがってストリーミングサーバを通じて前記リングバックトーンストリームをストリーミング方式で受信し、受信したリングバックトーンストリームを、前記電子機器にインストールされたメディアプレーヤを利用して再生する、請求項９〜１１のうちの何れか１項に記載の通話方法。
【請求項１３】
前記被呼者の通話受諾または通話拒絶によって前記ＶｏＩＰサーバから送信される応答を受信する場合、前記リングバックトーンストリームの再生を中止する段階、および
前記電子機器を制御して前記発呼者と前記被呼者との間の通話を処理する段階
をさらに含む、請求項９〜１２のうちの何れか１項に記載の通話方法。
【請求項１４】
前記通話設定の要請にしたがって前記ＶｏＩＰサーバから前記アプリサーバを通じて前記被呼者の電子機器に通話要請をプッシュし、
前記被呼者の電子機器から前記ＶｏＩＰサーバに通話設定が要請され、前記ＶｏＩＰサーバからの応答にしたがって前記被呼者の電子機器に予め格納されたリングトーンが再生される、請求項９〜１３のうちの何れか１項に記載の通話方法。
【請求項１５】
コンピュータで実現されるアプリサーバの通話装置であって、
被呼者のアカウントと関連付いて管理されるリングバックトーンストリームのアドレス情報を求める要請を、発呼者の電子機器から受信する段階、
前記被呼者のアカウントに基づいてストリーミングサーバに前記アドレス情報を要請する段階、および
前記ストリーミングサーバから前記被呼者のアカウントと関連付いたリングバックトーンストリームのアドレス情報を受信して前記発呼者の電子機器に送信する段階
を実行するプロセッサを含む、通話装置。
【請求項１６】
前記プロセッサは、
ユーザ間の人的関係に基づいてメッセージングサービスを提供する段階、および
前記メッセージングサービスを通じて前記発呼者と人的関係が設定された前記発呼者の友達に関する情報を前記発呼者の電子機器に提供する段階
をさらに実行し、
前記被呼者は、前記発呼者の友達のうちから選択される、請求項１５に記載の通話装置。
【請求項１７】
前記リングバックトーンストリームは、前記被呼者の電子機器を通じて前記ストリーミングサーバにアップロードされて前記被呼者のアカウントと関連付けて管理され、
前記ストリーミングサーバに前記アドレス情報を要請する段階は、
前記被呼者のアカウントと関連付いて管理されるリングバックトーンストリームのアドレス情報を要請する、請求項１５に記載の通話装置。
【請求項１８】
前記プロセッサは、
前記発呼者の電子機器から通話設定の要請がＶｏＩＰサーバに要請されることにより、前記ＶｏＩＰサーバから発生する通話プッシュの要請を受信する段階、および
前記通話プッシュの要請にしたがって前記被呼者の電子機器に通話要請をプッシュする段階
をさらに実行する、請求項１５に記載の通話装置。
【請求項１９】
前記通話設定の要請に対する前記ＶｏＩＰサーバの応答にしたがい、前記発呼者の電子機器で前記アドレス情報を利用して前記リングバックトーンストリームが再生される、請求項１８に記載の通話装置。
【請求項２０】
前記通話要請のプッシュによって前記被呼者の電子機器から通話設定の要請が前記ＶｏＩＰサーバに要請され、前記ＶｏＩＰサーバの応答にしたがって前記被呼者の電子機器に予め格納されたリングトーンが再生される、請求項１８に記載の通話装置。
【手続補正２】
【補正対象書類名】明細書
【補正対象項目名】発明の名称
【補正方法】変更
【補正の内容】
【発明の名称】ＶｏＩＰ通話サービスでリングバックトーンを利用するためのコンピュータプログラム、通話方法および通話装置